(57)【要約】【課題】十分な防火性能を発揮すると共に比較的低コストで製造できる木製防火扉を提供する。【解決手段】桐材２１〜２３を主体とする芯材２０と、表面に設けられた化粧合板４０とを有する木製防火扉において、前記芯材２０と前記化粧合板４０との間には耐火塗料層３０が設けられ、且つ前記耐火塗料層３０の前記芯材２０からの脱落防止構造５１を有する。【選択図】　　　　図１
2004108081.tif 000002
【特許請求の範囲】
【請求項１】
桐材を主体とする芯材と、表面に設けられた化粧合板とを有する木製防火扉において、前記芯材と前記化粧合板との間には耐火塗料層が設けられ、且つ前記耐火塗料層の前記芯材からの脱落防止構造を有することを特徴とする木製防火扉。
【請求項２】
請求項１において、前記脱落防止構造は、前記芯材の表面に脱落防止溝が形成され、前記耐火塗料層の一部が当該脱落防止溝に埋め込まれるように設けられている構造であることを特徴とする木製防火扉。
【請求項３】
請求項２において、前記脱落防止溝は、前記芯材の表面に格子状に設けられていることを特徴とする木製防火扉。
【請求項４】
請求項１において、前記脱落防止構造は、前記芯材の表面に耐火ネットが設けられ、前記耐火塗料層が当該防火ネットを覆うように設けられた構造であることを特徴とする木製防火扉。
【請求項５】
請求項４において、前記耐火ネットは止め具により前記芯材に固定されていることを特徴とする木製防火扉。
【請求項６】
請求項１において、前記脱落防止構造は、前記耐火塗料層と前記化粧合板の間に脱落防止合板が設けられ且つ当該脱落防止合板を前記芯材に固定した構造であることを特徴とする木製防火扉。
【請求項７】
請求項６において、前記脱落防止合板は、前記耐火塗料層を介して前記芯材に止め具を介して固定されていることを特徴とする木製防火扉。
【請求項８】
請求項１〜７の何れかにおいて、前記扉の端面近傍にはグラファイト系発泡材がその長手方向に亘って設けられていることを特徴とする木製防火扉。
【請求項９】
請求項１〜８の何れかにおいて、前記芯材は、桐集成材の積層板であることを特徴とする木製防火扉。
【発明の詳細な説明】
【０００１】
【発明の属する技術分野】
本発明は、桐材及び有機質材料を用いた木製防火扉に関する。
【０００２】
【従来の技術】
従来、特定防火設備６０としてはスチール製しか認められなかったので、防火扉は一般的にはスチール製である。スチール製の防火扉は頑丈であるが、重く、高熱で反ってしまい、また、輻射熱が大きい（木の５〜８倍）などの欠点を有する。
【０００３】
そこで、平成２年に甲種防火扉及び乙種防火扉の試験方法が改正され、一定条件を満たせば木製戸であっても特定防火設備６０若しくは特定防火設備２０として認可されるようになったことを契機として桐材を用いた木製防火扉が開発されている。
【０００４】
そして、桐の集成材を積層した桐積層板を用いたもの（特許文献１参照）、桐集成材と熱硬化性樹脂積層板とを積層したもの（特許文献２参照）、桐材と不燃紙とを組み合わせたもの（特許文献３参照）、桐材とフェノールフォームとを組み合わせたもの（特許文献４参照）、桐集成材に耐火シートを組み合わせたもの（特許文献５参照）、桐材と火山性ガラス繊維板とを組み合わせたもの（特許文献６参照）等が開発されている。また、桐材の反りを防止する構造（特許文献７参照）、災害時の脱出を容易にする構造（特許文献８参照）等が開発されている。
【０００５】
【特許文献１】
特開平７−２０８０３３号公報　（特許請求の範囲、図２）
【特許文献２】
特開平７−２５９４４５号公報　（特許請求の範囲、図２）
【特許文献３】
特開平７−２９３１２７号公報　（特許請求の範囲、図１）
【特許文献４】
特開平７−３２４５６１号公報　（特許請求の範囲、図１）
【特許文献５】
特開平９−２５６７４６号公報　（特許請求の範囲、図２）
【特許文献６】
特開２０００−１７９２４５号公報　（特許請求の範囲、図２）
【特許文献７】
特開２０００−３１００９０号公報　（特許請求の範囲、図１）
【特許文献８】
特開２００１−１７５６０号公報　（特許請求の範囲、図１）
【０００６】
【発明が解決しようとする課題】
しかしながら、従来の木製防火扉は、火災発生時等の耐火性能と製造コストとのバランスの点で問題があり、十分に満足できる製品は得られていない。
【０００７】
そこで、本発明は、このような事情に鑑み、十分な防火性能を発揮すると共に比較的低コストで製造できる木製防火扉を提供することを課題とする。
【０００８】
【課題を解決するための手段】
前記課題を解決する本発明の第１の態様は、桐材を主体とする芯材と、表面に設けられた化粧合板とを有する木製防火扉において、前記芯材と前記化粧合板との間には耐火塗料層が設けられ、且つ前記耐火塗料層の前記芯材からの脱落防止構造を有することを特徴とする木製防火扉にある。
【０００９】
本発明の第２の態様は、第１の態様において、前記脱落防止構造は、前記芯材の表面に脱落防止溝が形成され、前記耐火塗料層の一部が当該脱落防止溝に埋め込まれるように設けられている構造であることを特徴とする木製防火扉にある。
【００１０】
本発明の第３の態様は、第２の態様において、前記脱落防止溝は、前記芯材の表面に格子状に設けられていることを特徴とする木製防火扉にある。
【００１１】
本発明の第４の態様は、第１の態様において、前記脱落防止構造は、前記芯材の表面に耐火ネットが設けられ、前記耐火塗料層が当該防火ネットを覆うように設けられた構造であることを特徴とする木製防火扉にある。
【００１２】
本発明の第５の態様は、第４の態様において、前記耐火ネットは止め具により前記芯材に固定されていることを特徴とする木製防火扉にある。
【００１３】
本発明の第６の態様は、第１の態様において、前記脱落防止構造は、前記耐火塗料層と前記化粧合板の間に脱落防止合板が設けられ且つ当該脱落防止合板を前記芯材に固定した構造であることを特徴とする木製防火扉にある。
【００１４】
本発明の第７の態様は、第６の態様において、前記脱落防止合板は、前記耐火塗料層を介して前記芯材に止め具を介して固定されていることを特徴とする木製防火扉にある。
【００１５】
本発明の第８の態様は、第１〜７の何れかにおいて、前記扉の端面近傍にはグラファイト系発泡材がその長手方向に亘って設けられていることを特徴とする木製防火扉にある。
【００１６】
本発明の第９の態様は、第１〜８の何れかの態様において、前記芯材は、桐集成材の積層板であることを特徴とする木製防火扉にある。
【００１７】
本発明によると、火災発生時には、耐火塗料が火や熱をトラップするので、直接芯材に影響を及ぼすことがなく、且つ耐火塗料が落下防止構造により保持されているので、容易に剥がれ落ちることがない。
【００１８】
また、芯材の表面に溝を格子状に設けた構造では、当該芯材に反りが発生し難くなるという効果がある。
【００１９】
ここで、芯材は、桐材を用いたものであれば基本的には限定されるものではないが、桐材として反りが出難いとされている品質の材料を用いるのが好ましい。また、芯材は、天然の桐から切り出した桐材又は桐の集成材の何れを用いてもよく、一枚物でも積層材でもよい。
【００２０】
一般的には桐の集成材を用いて複数枚積層して用いるのが好ましく、さらに、木目（繊維方向）を略直交するようにクロスさせて３層構造とした積層材が特に好ましい。
【００２１】
また、桐材は熱による反りが生じやすいので、面方向の四方、すなわち、扉の四辺を、桐材より堅く、反りにくい木材からなる補強部材で覆うようにする必要がある。補強部材としては、人工合板、Ｌ．Ｖ．Ｌなどを挙げることができる。なお、本発明では、このような補強部材を含めて芯材という。
【００２２】
一方、耐火塗料は、防火塗料とも呼ばれ、木材に塗装膜を形成して不燃・難燃化するものであれば特に限定されないが、膨厚又は発泡して炭化層を形成するタイプを使用するのが好ましく、また、炭化層を形成後、芯材の温度上昇を５００℃以内、好ましくは４５０℃以内に抑えるものが好ましい。このような耐火塗料は、例えば、フレームガードジャパン社から、ＨＣＡ　ＴＲ、ＨＣＡ　ＭＬなどとして、また、日本環境研究所社から、ＪＥＲＩＣＯ　ＦＰなど、エスケー化研社から、ＳＫタイカコートなどとして、恒和化学工業社から、ＦＲＰなどとして上市されている。
【００２３】
このような耐火塗料は、従来、木製防火扉に用いられたことはないが、今回、これを用いることにより、従来の耐火性板や耐火シートなどを用いるより簡便に且つ高性能の木製防火扉を提供できる。但し、耐火塗料をそのまま芯材に塗布しても剥がれ落ちてしまい、例えば、特定防火設備の６０分耐火試験に合格することはできないが、芯材に所定の脱落防止構造を設けることにより、所望の防火性能を得ることができる。
【００２４】
ここで、本発明の脱落防止構造としては、芯材の表面に設けられた脱落防止溝である。脱落防止溝は、芯材の表面に、例えば、格子状に設けられる溝である。かかる脱落防止溝は、芯材表面に耐火塗料が塗布される際に耐火塗料が埋め込まれ、火災時の剥がれ落ちを防止できるものであれば、特に限定されない。例えば、断面がＶ字状、半円形、矩形などの溝で、幅及び深さが１〜５ｍｍ程度、好ましくは、２〜４ｍｍ程度とする。また、溝のピッチは２〜５０ｃｍ、好ましくは、５〜３０ｃｍとする。
【００２５】
また、脱落防止構造の他の例は、芯材の表面に設けられる耐火ネットである。耐火ネットは、例えば、ガラス繊維、セラミック繊維などの耐火性繊維をメッシュ状に形成したものである。このような耐火ネットを芯材の表面に固定すると、芯材の表面が凹凸面になり、耐火塗料層が剥がれ落ち難くなる。なお、耐火ネットは、タッカー針などの止め具により芯材表面に固定すればよい。
【００２６】
また、脱落防止構造の他の例は、芯材の表面に耐火塗料層を設けた後、脱落防止合板を芯材に釘やタッカー針などの止め具で打ち付けて芯材と脱落防止合板とで耐火塗料層を挟持するようにしたものである。この場合、接着剤を併用し釘やタッカーで打ち付けて芯材に固定するのが好ましい。このようにすることにより、耐火塗料層は脱落防止合板により保持され、容易には脱落しなくなる。
【００２７】
本発明の木製防火扉の最外表面には化粧合板が設けられている。化粧合板に用いる材質は、天然の木材で形成されていれば特に限定されず、勿論、天然の木材を用いて形成した集成材、積層材等であってもよい。化粧合板は、耐火塗料層の表面又は脱落防止合板の表面に、耐火性接着剤などを介して接合すればよい。
【００２８】
【発明の実施の形態】
以下本発明を一実施形態に基づいて説明する。
【００２９】
（実施形態１）
図１は、本発明の一実施形態に係る木製防火扉の概略斜視図である。また、図２は、本発明の一実施形態に係る木製防火扉の断面図であって、（ａ）は縦断面図であり、（ｂ）は横断面図である。
【００３０】
図１及び図２に示すように、本実施形態の木製防火扉１０は、複数の桐部材２１〜２３を積層した桐積層板２４と、その四方に設けられた補強部材２５とからなる芯材２０と、芯材２０の表面に設けられた耐火塗料層３０と、耐火塗料層３０の表面に接合された化粧合板４０とを具備する。
【００３１】
桐積層板２４は、木目方向（繊維方向）が長手方向に一致した桐部材２１、２２との間に、桐部材２１、２２の木目方向と直交する方向である桐部材２３を挟持して積層した三層構造である。なお、この桐積層板２４を構成する桐部材２１〜２３は、それぞれ所定の大きさに形成されたものであってもよいし、短い寸法のものを複数枚継ぎ合わせたものであってもよい。このように桐部材２１〜２３の木目方向が略直交するようにクロス張りすることによって形成された桐積層板２４は効果的に反りの発生を防止することができる。
【００３２】
また、桐積層板２４の上下左右の端面には、桐材より堅い木材、本実施形態では合成合板からなる補強部材２５が設けられている。このように、桐積層板２４の四方を補強部材２５で囲って芯材２０としたので、反りをより確実に防止することができる。なお、補強部材２５の厚さ（扉の面方向の寸法）は、木製防火扉の防火性能によって異なるが、６０分防火試験を満足するためには、１５０ｍｍ厚程度のものが必要となる。
【００３３】
また、本実施形態では、芯材２０の表面、すなわち、桐部材２１、２２及び補強部材２５の表面に、上下方向及び左右方向にそれぞれ延びる脱落防止溝５１が所定間隔で格子状に設けられている。ここで、上述した耐火塗料層３０は、この脱落防止溝５１に埋め込まれるように設けられているので、剥がれ落ちが防止される。これらの脱落防止溝５１は、本実施形態では、断面が幅が４ｍｍ×深さ２ｍｍの矩形とし、約５０ｃｍピッチで設けられている。
【００３４】
ここで、耐火塗料層３０は、例えば、恒和化学工業社製、ＳＫ化研社製の耐火塗料を用いて、厚さ１〜２ｍｍ程度に形成した。
【００３５】
また、補強部材２５の扉端面側の表面には、発泡材３５が長手方向に亘って埋め込まれるように設けられており、発泡材３５を覆うように補強部材２５の扉端面側表面には大手材又は横手材となる化粧材４５が設けられている。
【００３６】
ここで、発泡材３５としては、例えば、２３０℃程度で厚さ方向に１０倍程度に膨張するグラファイト系発泡材を用いればよく、これにより間口との隙間を完全に塞ぐことができ、煙の流れを防止すると共に延焼を防止することができる。この発泡材３５は本実施形態では、防火扉の四方に設けたが、少なくとも三方の端面に設ければよい。また、化粧材４５は、場所によっては必要に応じて省略できるものである。
【００３７】
また、化粧合板４０は、耐火塗料層３０の表面に接合されており、本実施形態では、厚さ４ｍｍの化粧合板を用いた。なお、耐火塗料層３０と化粧合板４０との間は、耐火型接着剤等を塗布することによって形成した接着剤層３７が設けられている。
【００３８】
このように、本実施形態の木製防火扉１０は、芯材２０の両側の表面に耐火塗料層３０が芯材２０の表面に設けられた脱落防止溝５１に埋め込まれるように設けられているので、火災発生時には、耐火塗料層３０が火や熱をトラップし、芯材２０が所定温度以上に加熱されないようにするので、優れた防火性能を発揮する。
【００３９】
（実施形態２）
図３は、本発明の一実施形態に係る木製防火扉の概略斜視図である。また、図４は、本発明の一実施形態に係る木製防火扉の断面図であって、（ａ）は縦断面図であり、（ｂ）は横断面図である。
【００４０】
図３及び図４に示すように、本実施形態の木製防火扉１０Ａは、脱落防止構造として芯材２０の表面に耐火ネット５２をタッカー５３で固定し、その上に耐火塗料層３０を設けたものである。このように設けた耐火塗料層３０は、耐火ネット５２が埋め込まれるように形成されるので、火災発生時に剥がれ落ち難いものである。なお、タッカー５３とは略コ字状のものであるが、耐火ネット５２を芯材２０に固定できるような止め具により固定すればよい。なお、耐火ネット５２としては、本実施形態では、日本電気硝子社製のＡＲＧファイバを用いたスーパークラックノンネット（目開き５ｍｍ）を用いた。
【００４１】
（実施形態３）
図５は、本発明の一実施形態に係る木製防火扉の概略斜視図である。また、図６は、本発明の一実施形態に係る木製防火扉の断面図であって、（ａ）は縦断面図であり、（ｂ）は横断面図である。
【００４２】
図５及び図６に示すように、本実施形態の木製防火扉１０Ｂは、脱落防止構造として芯材２０の表面に設けた耐火塗料層３０上に脱落防止合板５４を設け、これを芯材２０にタッカー５５で締結したものである。このように設けた耐火塗料層３０は、脱落防止合板５４により押さえられて固定されているので、火災発生時に剥がれ落ち難いものである。なお、本実施形態ではタッカー５５を用いたが、脱落防止合板５４を芯材２０に固定できる止め具であれば特に限定されないことはいうまでもない。また、脱落防止合板５４は、耐火塗料層３０の脱落が防止できるものであれば特に限定されない。
【００４３】
【発明の効果】
以上説明したように、本発明によれば、従来木製防火扉には適用されていなかった耐火塗料を用い且つ芯材に対する脱落防止構造を採用することにより、十分な防火性能を発揮すると共に反りが発生しない木製防火扉を安価に実現することができるという効果を奏する。
【図面の簡単な説明】
【図１】本発明の実施形態１に係る木製防火扉の概略斜視図である。
【図２】本発明の実施形態１に係る木製防火扉の断面図であって、（ａ）は縦断面図であり、（ｂ）は横断面図である。
【図３】本発明の実施形態２に係る木製防火扉の概略斜視図である。
【図４】本発明の実施形態２に係る木製防火扉の断面図であって、（ａ）は縦断面図であり、（ｂ）は横断面図である。
【図５】本発明の実施形態３に係る木製防火扉の概略斜視図である。
【図６】本発明の実施形態３に係る木製防火扉の断面図であって、（ａ）は縦断面図であり、（ｂ）は横断面図である。
【符号の説明】
１０，１０Ａ，１０Ｂ　木製防火扉
２０　芯材
２１、２２、２３　桐部材
２４　桐積層板
２５　補強部材
３０　耐火塗料層
３５　発泡材
３７　接着剤層
４０　化粧合板
４５　化粧材
５１　脱落防止溝
５２　耐火ネット
５３，５５　タッカー
５４　脱落防止合板
【図１】
2004108081.tif 000003
【図２】
2004108081.tif 000004
【図３】
2004108081.tif 000005
【図４】
2004108081.tif 000006
【図５】
2004108081.tif 000007
【図６】
2004108081.tif 000008